(57)【要約】【課題】  タイルを床面等に敷き詰めるのは、半端な部分が残った場合には非常に難しい。【解決手段】  タイルを切断せずそのまま敷設できる所まで仮置きする、タイルが敷設されていない部分を覆うように、敷設端辺に沿って別のタイルを移動させて、その移動させたタイルの敷設端辺と反対側に沿ってすでに仮置きしたタイルに線を引く、線を引いたタイルを別の場所に仮り置きする、仮り置きしたタイルの周囲で、線を引いたタイルに接する部分にタイルを置く、タイルに引いた線に沿って、別のタイルを移動させて、その線と反対側に沿ってタイルを裁断する、裁断した外側のタイルを除去する、除去したもの以外のタイルを被敷設面に戻すもの。【選択図】  図３
2018131767.tif 000002
【特許請求の範囲】
【請求項１】
長方形のタイルを被敷設面に敷き詰める方法において、被敷設面の端辺である敷設端辺にタイルが接当し、そのままでは敷設できない場所でのタイル敷設方法であって、次の工程からなることを特徴とするタイル敷設方法。
１  タイルを切断せずそのまま敷設できる所まで仮置きする、
２  タイルが敷設されていない部分を覆うように、敷設端辺に沿って別のタイルを移動させて、その移動させたタイルの敷設端辺と反対側に沿ってすでに仮置きしたタイルに線を引く、
３  線を引いたタイルを別の場所に仮り置きする、
４  仮り置きしたタイルの周囲で、線を引いたタイルに接する部分にタイルを置く、
５  タイルに引いた線に沿って、別のタイルを移動させて、その線と反対側に沿ってタイルを裁断する、
６  裁断した外側のタイルを除去する、
７  除去したもの以外のタイルを被敷設面に戻し敷設する。
【請求項２】
該タイルはプラスチック製である請求項１記載のタイル敷設方法。
【発明の詳細な説明】
【技術分野】
【０００１】
本発明は、タイル敷設方法に関するものである。
【背景技術】
【０００２】
ここでいうタイルは、床や壁面等に敷設する種々のタイルであり、その材質は問わない。例えば、ポリ塩化ビニルやリノリウムの板、タイルカーペットのような絨氈系のもの、木材、セラミック等であり、板状のものであればよい。
【０００３】
従来、住宅やオフィス等において、複数枚のポリ塩化ビニル製等のタイルやタイルカーペット等を間隙なく敷き詰め、床材として用いることが一般的に行われている。
【０００４】
このような敷設施工を行う場合、一定の大きさのタイルを部屋の中心部から壁際に向かって敷き詰めていくのが普通であるが、敷設が壁際に近くなったときは、既に敷き詰めたタイルから壁までの距離が、タイルの長さよりも短くなるか、角度が合わないことが多い。
【０００５】
このような場合、従来、壁際のタイルの上にカットすべきタイルを重ね、その上に物差し代わりとするタイルを置き、その物差し代わりとしたタイルを壁までずらし、その物差し代わりのタイルの端辺で重ねたタイルを切断していた。そして、その物差し代わりのタイルとカットしたタイルの余分な部分は除去すれば、ぴったりと嵌るタイルだけが残るという方法であった。
【０００６】
また、特許文献１のような方法も考案されている。これは一定の定規を用いてその定規に従って裁断するものである。
【先行技術文献】
【特許文献】
【０００７】
【特許文献１】特開２０１２−２６１１７号公報
【発明の概要】
【発明が解決しようとする課題】
【０００８】
従来の方法では、壁際の端辺と、タイルの辺とが平行であるときには施工できるが平行でない場合施工が難しい。また特殊な定規を作成する方法では、その作成が手間であり時間がかかる。そこで、特別な道具が必要なく、タイルと被敷設面の端辺との角度が平行や直角でなくても施工可能な方法を提供する。
【課題を解決するための手段】
【０００９】
以上のような状況に鑑み、本発明者は鋭意研究の結果本発明敷設方法を完成したものであり、その特徴とするところは、長方形のタイルを被敷設面に敷き詰める方法において、被敷設面の端辺である敷設端辺にタイルが接当し、そのままでは敷設できない場所でのタイル敷設方法であって、次の工程からなる点にある。
１  タイルを切断せずそのまま敷設できる所まで仮置きする、
２  タイルが敷設されていない部分を覆うように、敷設端辺に沿って別のタイルを移動させて、その移動させたタイルの敷設端辺と反対側に沿ってすでに仮置きしたタイルに線を引く、
３  線を引いたタイルを別の場所に仮り置きする、
４  仮り置きしたタイルの周囲で、線を引いたタイルに接する部分にタイルを置く、
５  タイルに引いた線に沿って、別のタイルを移動させて、その線と反対側に沿ってタイルを裁断する、
６  裁断した外側のタイルを除去する、
７  除去したもの以外のタイルを被敷設面に戻し敷設する。
【００１０】
本発明でいうタイルは、段落０００２で記したものであり、特別な材質である必要はない。呼び名も、クッションフロア、フローリング、床板、タイルカーペット等自由である。なかでも、比較的硬質なものが本発明の効果を発揮する。例えば、ポリ塩化ビニル等のプラスチック製やリノリウム製のタイル等である。
大きさとしては、限定はしないが、１０ｃｍ角〜１ｍ角程度が好適である。厚みは、これも限定はしないが、数ｍｍ〜１０ｍｍ程度である。
【００１１】
このタイルの形状は、平面視長方形（正方形を含むもので、実際には正方形が多い）である。本発明では、このようにタイルの形状は長方形である。現実問題としては、このようなものが多いのである。
本発明では、敷設するタイルは１種（サイズ的に）であり、狭い部分等はそのタイルを切って使用する方法であり、種々の形状のものを使用する方法ではない。
【００１２】
被敷設面とは、タイルを敷設する面であり、床面、壁面、その他の施工面である。タイルを敷設するエリアであればどこでもよい。また、その端辺とは、タイルを敷設すべきエリアの端の辺であり、通常は床の１辺である。
【００１３】
そのままでは敷設できない場所とは、面積的又は形状的に、使用するタイルがそのまま敷設できないエリアである。通常は、前記した通り何らかの方法でタイルを切断してはめ込んでいた部分である。
【００１４】
次に順次本発明の工程について説明する。
まず、使用するタイルを切断せずそのまま敷設できる所まで仮置きする。ここでいう仮置きは、単に並べることをいう。しかし、後述する一旦場所を替えて仮置きするタイル以外は、仮置きでなく固着（接着等）してもよい。
ここでいう切断せずそのまま敷設できる所は、きっちりと敷き込む被敷設面の敷設端辺付近を言い、常に被敷設面全体の余白を意味するものではない。
【００１５】
次に、タイルが敷設されていない部分を覆うように、敷設端辺に沿って同じタイル（定規のように使用するため定規タイルと呼ぶ）を移動させて、定規タイルの被敷端辺と反対側に沿って、仮置きしたタイルの上に線を引く。ここでいう「線を引く」の意味は、印を付ける程度の意味であるが、後にその印に沿ってタイルを移動できる程度に明確にする必要がある。それができれば、点線でも実線でもその他の印でもよい。
このとき、隅の部分や、被敷設面の端辺に突起等がある場合には、縦と横の両方向で定規タイルを滑らせる。
ここでいう定規タイルは、敷設するタイルそのものであり、特別なものではない。ただ敷設した又は仮置きしたものでなく、定規のようにその端辺にそって印をつけたり、切断したりするためこう呼んでいるだけである。
【００１６】
また、タイルの表面に印をつけると、後に消す必要がある場合には手間であり、また美観を損ねるため、その印を着けるタイルは裏返して使用してもよい。裏に印をつけてすべて切断が完了すれば表に返して貼ればよい。正方形の場合には、どのような方向に向けても問題はないため簡単である。
【００１７】
印を付けたタイルを、別のところに、被敷設面に仮置きしたように仮置き（並べる）する。勿論、すでに敷設したタイルの上でも問題はない。
【００１８】
この仮に並べたタイルの周囲にタイルを仮に置く。このように周囲に並べたタイルは、切断せずそのままでは被敷設面の余白部には嵌らず、一部切断すれば嵌り込むものである。
この周囲にタイルを並べた状態で、タイルに施された印（請求項１の工程２で述べた線）に沿って定規タイルを移動し、定規タイルのその印と反対側で仮置きしたタイルを切断する。すぐに切断せず、一旦印をつけて後に切断しても問題はない。
【００１９】
切断したタイルの外側の部分は除去する。除去したタイル以外のタイルは、元の被敷設面にぴったりと嵌ることになる。
【発明の効果】
【００２０】
本発明には次のような大きな利点がある。
（１）  被敷設面の余白が狭く、１枚のタイルが入らないような部分に簡単にぴったり敷設できる。
（２）  特別な定規や型紙が不要である。
（３）  施工も早く容易である。
【図面の簡単な説明】
【００２１】
【図１】本発明方法の１例の１工程を示す平面図である。
【図２】本発明方法の１例の１工程を示す平面図である。
【図３】本発明方法の１例の１工程を示す平面図である。
【図４】本発明方法の１例の１工程を示す平面図である。
【図５】本発明方法の１例の１工程を示す平面図である。
【図６】本発明方法の１例の１工程を示す平面図である。
【図７】本発明方法の１例の１工程を示す平面図である。
【図８】本発明方法の１例の１工程を示す平面図である。
【図９】本発明方法の１例の１工程を示す平面図である。
【発明を実施するための形態】
【００２２】
以下図面に示す実施例に基づいて本発明をより詳細に説明するが、本発明が実施例に限定されるものではない。
【００２３】
図１は、床面１にタイル（ここではポリ塩化ビニル製のタイル）２を敷設している例である。ここでは、４枚のタイルのみを示している。床面１の端辺３（壁の立ち上がり線）の近くまで敷設（仮置き）してきたところである。現状は、余白（床面でまだタイルを並べていないエリア）は、タイル２が嵌るだけの面積はなく、且つタイル２の辺と端辺３とが平行になっていない。このような形状の余白にタイルを切断してきっちり敷設することは非常に難しいことが分かる。
【００２４】
図１の状態で、定規タイル４（敷設しているタイルと同じもの。ただ定規のように使用するのでそう呼ぶ）を端辺３に沿って滑らせる（図２）。そして、端辺３と反対側のタイルの辺に沿って、印（線や点線等）５を付ける。この例では、タイル２として４枚記載し、この４枚と端辺３との余白を問題としているのであり、他の部分については言及していない。それらの部分も、同様の方法で施工できることは当然である。
次に、図２と同様のことを他の端辺３で行う。そして同様に、定規タイル４を滑らせて、他の印６を付ける（図３）。
【００２５】
図３のように印５、６をつけたタイル２を、他の場所に仮置きする（図４）。図４の状態のタイル２の周囲（端辺３側）に新たなタイル７を置く。そして、必要であれば、印５や印６をこの新たなタイル７にも延長する（図５）。
【００２６】
図６は、タイル７にも印５や印６を延長し、印５に沿って定規タイル４を滑らせているところである。ここで、印５と反対側の定規タイル４の辺にそって切断印８を付す（勿論、この段階で切断してもよい）。
同様に、他の端辺側（この図では左側）も行い、図７に示すように切断印９を付す。
【００２７】
次に、切断印８及び切断印９で切断する。不要な部分を除去した状態を図８に示す。印５や印６は消してもよく、裏面を使用した場合には裏返す。これを、図１の４枚のタイル部分（実際には除去しているのでタイルはない）と、余白部分に敷設する。そうすると、ぴったりと嵌め込むことができる。その状態を図９に示す。
【００２８】
このように、寸法を測ることもなく、型紙を作ることも、特殊定規を作ることもなく簡単に正確に嵌め込むことができる。
【符号の説明】
【００２９】
１  床面
２  タイル
３  端辺
４  定規タイル
５  印
６  印
７  タイル
８  切断印
９  切断印
【図１】
2018131767.tif 000003
【図２】
2018131767.tif 000004
【図３】
2018131767.tif 000005
【図４】
2018131767.tif 000006
【図５】
2018131767.tif 000007
【図６】
2018131767.tif 000008
【図７】
2018131767.tif 000009
【図８】
2018131767.tif 000010
【図９】
2018131767.tif 000011